(57)【要約】【課題】鉄筋コンクリートの剪断ロッド構造を提供する。【解決手段】複数の主鉄筋が上層鉄筋及び下層鉄筋からなり、メイン螺旋あばら筋は複数の間隙を有し、軸方向に沿って上層鉄筋と下層鉄筋の間に設置される。剪断ロッド装置は二つの接続端を有し前記メイン螺旋あばら筋の周囲に設置され、上層鉄筋及び下層鉄筋の何れか一方と接続する。それはさらに剪断補強構造を含み、剪断補強構造はそれぞれ二つの接続端と接続して剪断ロッド装置を構築し、メイン螺旋あばら筋並びに複数の主鉄筋とを相互に密着接合させる。【選択図】図２ｂ
0003141953.tif 000002
【実用新案登録請求の範囲】
【請求項１】
上層鉄筋及び下層鉄筋からなる複数の主鉄筋と、
複数の間隙を有し、軸方向に沿って前記上層鉄筋及び前記下層鉄筋の間に設置されるメイン螺旋あばら筋と、
二つの接続端を有し、前記メイン螺旋あばら筋の周囲に設置され、前記上層鉄筋及び前記下層鉄筋の何れか一方と接続する剪断ロッド装置であって、さらに剪断補強構造を含み、前記剪断補強構造はそれぞれ二つの接続端と接続して前記剪断ロッド装置を構築し、前記メイン螺旋あばら筋並びに前記複数の主鉄筋とを相互に密着接合させることを特徴とする、鉄筋コンクリートの剪断ロッド構造。
【請求項２】
さらに前記剪断ロッド装置の二つの接続端に設置される複数のサブ螺旋あばら筋を含み、前記サブ螺旋あばら筋は二層上部のサブ螺旋あばら筋を含み、前記二層上部のサブ螺旋あばら筋は互いに平行で前記軸方向に沿って延設し、前記メイン螺旋あばら筋の外側に位置することを特徴とする、請求項１に記載の鉄筋コンクリートの剪断ロッド構造。
【請求項３】
前記複数のサブ螺旋あばら筋は二層下部のサブ螺旋あばら筋を含み、前記二層下部のサブ螺旋あばら筋は互いに平行で前記軸方向に沿って延設し、前記メイン螺旋あばら筋の外側に位置することを特徴とする、請求項２に記載の鉄筋コンクリートの剪断ロッド構造。
【考案の詳細な説明】
【技術分野】
【０００１】
本考案は土木工事で使用する鉄筋コンクリートの剪断ロッド構造に関し、具体的にはコンクリートを流し込んで構造体を成形するスケルトンとするための剪断ロッド構造に関する。
【背景技術】
【０００２】
各種様式の建築物への耐震ニーズが高まるにつれて、鉄骨鉄筋コンクリートは最早現代の建設業界における構造設計の主流となっており、エンジニアは絶え間なく一層効率的な施工方法を追究している。
【０００３】
鉄骨鉄筋コンクリートの設計では、大半が鉄骨で重量を支えて張力や剪断強度の主要部材としている。そして鉄骨周囲に鉄筋やあばら筋を増設して鉄骨が受ける力を分担し、コンクリートの吸着力を強化すると共に、側面から力を受けた際の共振を抑える。然しながら、現時点での鉄骨鉄筋コンクリート設計では、鉄筋部分の設計及び応用方法が単純なため、実際の設計や施工面でのニーズに容易には応えられない。図1で示すように、鉄筋コンクリートの梁断面には上層鉄筋２１と下層鉄筋２２を囲んで括るあばら筋セット３０とキャップセット４０を具備しているものの、張力や剪断強度にはなお更なる改善の余地がある。
【考案の開示】
【考案が解決しようとする課題】
【０００４】
本考案の主たる目的は、コンクリートを流し込んで構造体を成形するスケルトンとするための鉄筋コンクリートの剪断ロッド構造を提供することにある。
【０００５】
本考案の別の目的は、特に剪断強度や張力の特性を具えた鉄筋コンクリートの剪断ロッド構造を提供することにある。
【０００６】
本考案の別の目的は、多種類の異なる構造体の断面形状を形成することができる鉄筋コンクリートの剪断ロッド構造を提供することにある。
【課題を解決するための手段】
【０００７】
上層鉄筋及び下層鉄筋からなる複数の主鉄筋と、複数の間隙を有し軸方向に沿って前記上層鉄筋及び下層鉄筋の間に設置されるメイン螺旋あばら筋と、二つの接続端を有し前記メイン螺旋あばら筋の周囲に設置され、上層鉄筋及び下層鉄筋の何れか一方と接続する剪断ロッド装置であって、さらに剪断補強構造を含み、前記剪断補強構造はそれぞれ二つの接続端と接続して前記剪断ロッド装置を構築し、メイン螺旋あばら筋並びに複数の主鉄筋とを相互に密着接合させる。
【考案を実施するための最良の形態】
【０００８】
以下、添付図面を参照して本考案の実施の形態を詳細に説明する。
【実施例】
【０００９】
図２ａ及び図２ｂで示すように、本考案の鉄筋コンクリートの剪断ロッド構造は複数の主鉄筋２００、メイン螺旋あばら筋３００及び剪断ロッド装置４００からなり、前記主鉄筋２００は上層鉄筋２１０と下層鉄筋２２０からなり、それぞれ鉄筋コンクリートの剪断ロッド構造１００の断面上側と下側に近いエリアに布設し、また図２ｂで示すように、上層筋２１０と下層筋２２０の端部はそれぞれＬ字型に折り曲げ、且つ上層筋２１０と下層筋２２０のＬ字型端部は互いに鉄筋コンクリートの剪断ロッド構造１００の端部で重なり合う。
【００１０】
前記メイン螺旋あばら筋３００は軸方向９００に沿って上層筋２１０と下層筋２２０の間に設置すると共に複数の間隙３１０を有し、またメイン螺旋あばら筋３００のサイズは好ましくは鉄筋コンクリートの剪断ロッド構造１００断面エリア面積の５０〜７５％を占め、メイン螺旋あばら筋３００は四角形螺旋あばら筋、楕円形螺旋あばら筋、多辺形螺旋あばら筋及びその他類似した機能が提供可能な形状である。
【００１１】
前記剪断ロッド装置４００はメイン螺旋あばら筋３００の周囲に設置すると共に、上層筋２１０と下層筋２２０のうちの一方と接続する。また鉄筋コンクリートの剪断ロッド構造１００には二つの剪断ロッド装置４００を設け、それぞれ上層筋２１０と下層筋２２０と接続する。剪断ロッド装置４００は複数のサブ螺旋あばら筋４１０を設けた二つの接続端４０１を具備している。前記サブ螺旋あばら筋４１０は軸方向９００に沿って延設してメイン螺旋あばら筋３００の外側に位置する。またサブ螺旋あばら筋４１０はメイン螺旋あばら筋３００の間隙３１０を貫通してメイン螺旋あばら筋３００の内部に伸長させることによって、サブ螺旋あばら筋４１０はメイン螺旋あばら筋３００と部分的に重なり合う。
【００１２】
前記サブ螺旋あばら筋４１０は二層上部サブ螺旋あばら筋４１１と二層下部サブ螺旋あばら筋４１２からなり、それぞれ互いに平行で軸方向９００に沿って延設してメイン螺旋あばら筋３００の外側に位置する。また二層上部サブ螺旋あばら筋４１１と二層下部サブ螺旋あばら筋４１２はそれぞれ鉄筋コンクリートの剪断ロッド構造１００断面のコーナー付近の位置に対応して設置する。そしてサブ螺旋あばら筋４１０の数量と設置位置もまた実際の設計ニーズによって変更を加えることができ、異なる構造体の断面形状と荷重特性を形成する。
【００１３】
然しながら、剪断ロッド装置４００はさらに剪断補強構造５００を含む。前記剪断補強構造５００はそれぞれ二つの接続端４０１に接続して剪断ロッド装置４００を構築すると共に、メイン螺旋あばら筋３００と前記主鉄筋２００とを互いに密着接合させ、また剪断補強構造５００は二層上部サブ螺旋あばら筋４１１と二層下部サブ螺旋あばら筋４１２に対応して設置し、且つ相互に接続する。また剪断補強構造５００は第一螺旋あばら筋５１０を含んで各サブ螺旋あばら筋４１０は複数の間隙を有し、第一螺旋あばら筋５１０は二層上部サブ螺旋あばら筋４１１の前記間隙を貫通して二層上部サブ螺旋あばら筋４１１の内部に伸長させ、また前記剪断補強構造５００は第二螺旋あばら筋５２０を別に含んで、第二螺旋あばら筋５２０は二層下部サブ螺旋あばら筋４１２の前記間隙を貫通して二層下部サブ螺旋あばら筋４１２の内部に伸長させる。
【００１４】
図3に示すように、剪断補強構造５００は第一サイドホック５３１と第二サイドホック５３２を具備する第一鉄筋キャップセット５３０を含み、第一サイドホック５３１と第二サイドホック５３２はそれぞれ前記間隙を貫通して二層上部サブ螺旋あばら筋４１１の内部に伸長させ、また第一サイドホック５３１と第二サイドホック５３２はそれぞれ上層筋２１０の外縁に位置してこれと接続する。さらに剪断補強構造５００は別途第二鉄筋キャップセット５４０を含み、第二鉄筋キャップセット５４０はそれぞれ前記間隙を貫通して二層下部サブ螺旋あばら筋４１２の内部に伸長させる第一サイドホック５４１と第二サイドホック５４２を具備する。
【００１５】
また図２ａ並びに図２ｂで示すように、本考案の鉄筋コンクリートの剪断ロッド構造は好ましくはさらに軸方向鉄筋６００を含んで軸方向９００に沿ってメイン螺旋あばら筋３００と接続し、且つ前記軸方向鉄筋６００は軸方向９００に沿って二層上部サブ螺旋あばら筋４１１とメイン螺旋あばら筋３００の間並びに二層下部サブ螺旋あばら筋４１２とメイン螺旋あばら筋３００の間に挟持して設置し、また本考案では軸方向鉄筋を設けないことも可能である。このほか、軸方向鉄筋６００はまた異なる設計ニーズによってサブ螺旋あばら筋４１０と接続することもできる。
【００１６】
図２ａ並びに図３で示すように、前記主鉄筋２００、メイン螺旋あばら筋３００及び剪断ロッド装置４００の組立てが完成し接続されると、スケルトン外部の型枠工事、コンクリート流し込みで構造体を形成することができる。このため、本考案の鉄筋コンクリートの剪断ロッド構造は好ましくは前記主鉄筋２００、メイン螺旋あばら筋３００、前記サブ螺旋あばら筋４１０及び剪断補強構造５００を被覆するコンクリート構造７００を含む。
【図面の簡単な説明】
【００１７】
【図１】従来のあばら筋梁区間を示した概略図
【図２ａ】本考案に係る鉄筋コンクリートの剪断ロッド構造の好ましい実施例
【図２ｂ】本考案に係る鉄筋コンクリートの剪断ロッド構造の好ましい実施例
【図３】本考案に係る鉄筋コンクリートの剪断ロッド構造の好ましい実施例
【符号の説明】
【００１８】
２１        上層鉄筋
２２        下層鉄筋
３０        あばら筋セット
４０        キャップセット
１００      鉄筋コンクリートの剪断ロッド構造
２００      主鉄筋
２１０      上層鉄筋
２２０      下層鉄筋
３００      メイン螺旋あばら筋
３１０      メイン螺旋あばら筋感間隙
４００      剪断ロッド装置
４０１      接続端
４１０      サブ螺旋あばら筋
４１１      二層上部サブ螺旋あばら筋
４１２      二層下部サブ螺旋あばら筋
５００      剪断補強構造
５１０      第一螺旋あばら筋
５２０      第二螺旋あばら筋
５３０      第一鉄筋キャップセット
５３１      第一サイドホック
５３２      第二サイドホック
５４０      第二鉄筋キャップセット
５４１      第一サイドホック
５４２      第二サイドホック
６００      軸方向鉄筋
７００      コンクリート構造
９００      軸方向
【図１】
0003141953.tif 000003
【図２ａ】
0003141953.tif 000004
【図２ｂ】
0003141953.tif 000005
【図３】
0003141953.tif 000006